(57)【特許請求の範囲】
【請求項１】
端子金具が挿入されるキャビティを内部に設けたタワー状をなす端子収容部が、複数個互いに分離した状態で並んで設けられるとともに、前記各端子収容部におけるこれらの端子収容部の並び方向に沿った面には弾性変形可能なランスが設けられ、各端子収容部に挿入された端子金具に前記ランスが弾性的に係止して抜け止めするようにし、かつこのランスの前記端子金具への係止部における幅方向の両端部が前記端子金具から幅方向に突出しているコネクタに備えられ、端子金具を前記端子収容部から抜き取ることに用いられる治具であって、
前記コネクタの前方から挿入可能であり、前記端子収容部における前記ランスの配設面と交差した外側面に摺接可能なガイド板の一面には、前記ランスの前記係止部における前記端子金具から突出した部分と係合して強制的に弾性変形させるテーパ状の解除部が形成されていることを特徴とするコネクタの端子抜き用治具。
【請求項２】
前記ガイド板が、隣り合う端子収容部間の溝内にほぼ緊密に挿入可能となっていることを特徴とする請求項１記載のコネクタの端子抜き用治具。
【請求項３】
前記ガイド板は、前記端子収容部の両外側面を挟持可能に二股状に設けられ、両ガイド板の対向面に前記解除部が形成されていることを特徴とする請求項１または請求項２記載のコネクタの端子抜き用治具。
【請求項４】
前記解除部には、当該治具の挿入方向に沿った軸線に対して対称形状をなす一対のテーパ部が形成されていることを特徴とする請求項１ないし請求項３のいずれかに記載のコネクタの端子抜き用治具。
【請求項５】
前記端子金具が雄側端子金具であって、この雄側端子金具はタブを前面から外部に突出させて前記端子収容部に挿入されるようになっており、この雄側端子金具の前記タブを逃がす逃がし凹部が設けられていることを特徴とする請求項３または請求項４記載のコネクタの端子抜き用治具。
【請求項６】
前記逃がし凹部が、前記雄側端子金具の前記タブをほぼ緊密に挿入可能となっていることを特徴とする請求項５記載のコネクタの端子抜き用治具。
【請求項７】
正規位置まで挿入された場合に前記端子収容部の前面に突き当たるストッパが設けられていることを特徴とする請求項１ないし請求項６のいずれかに記載のコネクタの端子抜き用治具。
【発明の詳細な説明】
【０００１】
【発明の属する技術分野】
本発明は、端子金具を端子収容部から抜き取る場合に用いるコネクタの端子抜き用治具に関する。
【０００２】
【従来の技術】
フロントリテーナを備えたコネクタの一例として、以下のようなものが知られている。これは、端子金具を挿入可能な複数の端子収容部が互いに分離して設けられるとともに、各端子収容部の例えば底壁に撓み変形可能なランスが形成された構造であって、端子収容部に後方から挿入された端子金具がランスにより抜け止めされる。そして、端子収容部群の前端側にリテーナが組み付けられると、このリテーナに形成された撓み規制部がランスの撓み空間内に進入し、ランスが端子金具に対する係止を解除すべく撓み変形することを規制し、これにより端子金具が二重係止されて確実に抜け止めが図られるようになっている。
【０００３】
ここで、各端子収容部が分離状に設けられているのは、以下の理由による。端子金具並びにコネクタが小型化されると、ランス並びにその撓み空間も小嵩に抑えられる傾向となる。そうすると、リテーナに形成される撓み規制部も薄くせざるを得ず、強度に劣るためにリブ等で繋いで補強する必要性が生ずる。そのため、ハウジング側では端子収容部を互いに分離させることで間に溝を形成し、リテーナ側に補強用に設けられたリブを溝に挿入して逃がすようにしている。
なおこの種のコネクタは、例えば特開２００１−３５１７１７に開示されている。
【０００４】
【発明が解決しようとする課題】
一方、端子金具を端子収容部から抜き取る場合は、ランスを強制的に撓み変形させて端子金具に対する係止を解除する作業が必要となる。通常のフロントリテーナ形式のコネクタでは、リテーナをランスの撓み変形が許容される仮係止位置まで戻しておき、リテーナに開口された治具挿入口から抜き用の治具を挿入してランスを撓み変形させることで係止を解除し、係る状態から端子金具を引き抜くところである。
しかるに上記例示した従来のものでは、リブが立てられていることもあって、リテーナに治具挿入口を開口することがスペース的に難しく、そのため、リテーナは一旦完全に外し、治具を直接にランスに当てて強制的に撓み変形させるようにしていた。
【０００５】
この方法であると、治具挿入口のような治具のガイドとなるものが無いため、ランスに対する治具の位置決めが難しく、ランスの係止解除ひいては端子金具の抜き取りの作業に手間が掛かるという問題があった。
本発明は上記のような事情に基づいて完成されたものであって、その目的は、端子金具の抜き取り作業を能率良く行うことのできる治具を提供するところにある。
【０００６】
【課題を解決するための手段】
請求項１の発明に係るコネクタの端子抜き用治具は、端子金具が挿入されるキャビティを内部に設けたタワー状をなす端子収容部が、複数個互いに分離した状態で並んで設けられるとともに、前記各端子収容部におけるこれらの端子収容部の並び方向に沿った面には弾性変形可能なランスが設けられ、各端子収容部に挿入された端子金具に前記ランスが弾性的に係止して抜け止めするようにし、かつこのランスの前記端子金具への係止部における幅方向の両端部が前記端子金具から幅方向に突出しているコネクタに備えられ、端子金具を前記端子収容部から抜き取ることに用いられる治具であって、前記コネクタの前方から挿入可能であり、前記端子収容部における前記ランスの配設面と交差した外側面に摺接可能なガイド板の一面には、前記ランスの前記係止部における前記端子金具から突出した部分と係合して強制的に弾性変形させるテーパ状の解除部が形成されている構成としたところに特徴を有する。
請求項２の発明は、請求項１に記載のものにおいて、前記ガイド板が、隣り合う端子収容部間の溝内にほぼ緊密に挿入可能となっているところに特徴を有する。
【０００７】
請求項３の発明は、請求項１または請求項２に記載のものにおいて、前記ガイド板は、前記端子収容部の両外側面を挟持可能に二股状に設けられ、両ガイド板の対向面に前記解除部が形成されているところに特徴を有する。
請求項４の発明は、請求項１ないし請求項３のいずれかに記載のものにおいて、前記解除部には、当該治具の挿入方向に沿った軸線に対して対称形状をなす一対のテーパ部が形成されているところに特徴を有する。
【０００８】
請求項５の発明は、請求項３または請求項４に記載のものにおいて、前記端子金具が雄側端子金具であって、この雄側端子金具はタブを前面から外部に突出させて前記端子収容部に挿入されるようになっており、この雄側端子金具の前記タブを逃がす逃がし凹部が設けられているところに特徴を有する。
請求項６の発明は、請求項５に記載のものにおいて、前記逃がし凹部が、前記雄側端子金具の前記タブをほぼ緊密に挿入可能となっているところに特徴を有する。
請求項７の発明は、請求項１ないし請求項６のいずれかに記載のものにおいて、正規位置まで挿入された場合に前記端子収容部の前面に突き当たるストッパが設けられているところに特徴を有する。
【０００９】
【発明の作用及び効果】
＜請求項１の発明＞
治具は、ガイド板が対応するタワー状の端子収容部の外側面に摺接しつつ挿入され、解除部がランスに係合して強制的に弾性変形させることで端子金具に対する係止が解除され、端子金具の引き抜きが可能となる。ガイド板を端子収容部の外側面に当てることで治具の位置決めができ、ランスの係止解除作業、ひいては端子金具の抜き取り作業を能率良く行うことができる。また、ガイド板により解除部の補強を図ることができる。
＜請求項２の発明＞
ガイド板を端子収容部の間の溝に入れることで位置決めができ、位置決めの作業がさらに簡単となる。
【００１０】
＜請求項３の発明＞
ガイド板が二股状になっているから、治具はより確実に真直に挿入され、またランスに対しては両解除部がランスの幅方向の両側に係合することになるから、ランスをバランス良く安定して弾性変形させることができる。もって、ランスの係止解除作業を迅速に行うことができる。
＜請求項４の発明＞
治具を挿入する場合の向きに規制を受けない。いちいち治具の向きに気を使う必要が無いから、ランスの係止解除作業がより簡単にできる。
【００１１】
＜請求項５の発明＞
雄側端子金具が端子収容部に挿入されている場合は、タブが前方に突出している形態が多いが、係る場合でも、タブが逃がし凹部に逃がされつつ治具が挿入される。
＜請求項６の発明＞
タブと逃がし凹部とがガイドの機能を果たし、治具を正規位置で真直に挿入することに有効となる。
＜請求項７の発明＞
治具が正規位置まで挿入されると、ストッパが端子収容部の前面に当たることでそれ以上の挿入が規制される。
【００１２】
【発明の実施の形態】
以下、本発明の実施形態を添付図面に基づいて説明する。
＜第１実施形態＞
本発明の第１実施形態を図１ないし図１５によって説明する。本実施形態に係るコネクタは、図１に示すように、雄側端子金具１０と、これを収容するハウジング２０と、二重係止用のリテーナ４０とを備えて構成されている。
雄側端子金具１０は、導電性に優れた金属板をプレス加工して形成されており、図２にも示すように、角筒状をなす本体部１１の先端からタブ１２が突設され、後端側に設けられたバレル１３をかしめることで、防水ゴム栓１４ともども電線１５の端末に固着されている。本体部１１の上面には、被係止凹部１６が凹み形成されている。
【００１３】
ハウジング２０は合成樹脂製であって、図３にも示すように、その内部には、前後方向を向いたキャビティ２１が、図示５列で上下２段に整列して形成されている。このキャビティ２１の形成領域の前端側では、各キャビティ２１ごとに分離したタワー状をなす端子収容部２３が形成されている。各端子収容部２３の前面の下部位置には前面壁２４が形成されており、この前面壁２４には、雄側端子金具１０のタブ１２を突出可能とした挿通口２５が開口されている。
なお、前面壁２４の左右両端部から左右の側壁にわたる上縁部は、図９に参照して示すように、雄側端子金具１０の本体部１１の上面よりも低い位置まで切り欠かれており、詳しくは後記する治具５０の挿入用の挿入空間２７が形成されている。
【００１４】
各端子収容部２３の上面壁部分には、雄側端子金具１０に一次係止するランス２９が形成されている。ランス２９は、図６にも示すように、端子収容部２３の横幅にほぼ匹敵する幅寸法を持って、前方に向けてやや先下がりの片持ち状に延出した形態で形成され、幅方向の中央部が厚肉、左右両端部が一段下がった薄肉となった凸字形の断面形状となっている。このランス２９の前端の下縁部における中央部が、雄側端子金具１０の被係止凹部１６に係止する係止部２９Ｃとなっている。言い換えると、図９に示すように、ランス２９が雄側端子金具１０に係止した際、幅方向の両端の薄肉部２９Ｂが雄側端子金具１０の本体部１１から左右に突出するようになっている。
【００１５】
上段の端子収容部２３のランス２９の上方には、ランス２９の上方への撓み変形を許容する撓み空間３０が、前方に開放して形成されている。一方、下段の端子収容部２３のランス２９については、そのランス２９の上方への撓み変形を許容する撓み空間３１Ａ，３１Ｂが、上段の端子収容部２３の底壁を部分的に切除することで形成されている。撓み空間３１Ａ，３１Ｂは詳細には、図６に示すように、厚肉部２９Ａと対応する撓み空間３１Ａと、薄肉部２９Ｂと対応する撓み空間３１Ｂとから構成されており、厚肉部２９Ａ用の撓み空間３１Ａは、底壁の幅方向の中央部を上下に貫通し、かつ前方に開放して形成され、一方の薄肉部２９Ｂ用の撓み空間３１Ｂは、底壁の下面を薄く削り、かつ同じく前方に開放して形成されている。なお、底壁のうちの薄肉部２９Ｂと対応する領域は、薄肉部２９Ｂを当接させることでランス２９の過度に撓み変形するのを規制する規制部３２となっている。
【００１６】
リテーナ４０はフロントタイプであって、合成樹脂材により形成され、上記した端子収容部２３群の前端部に組み付け可能とされている。詳細には、図４及び図５にも示すように、端子収容部２３群の下面から左右の側面に外嵌するような外壁４１を備えたキャップ状に形成され、前面板４２には各端子収容部２３の前面壁２４の挿通口２５と対応した位置ごとに窓孔４３が形成されている。
上記した端子収容部２３群では、図３に示すように、上下２段にわたる左右で隣り合う端子収容部２３同士の間に、縦向きの溝３４が形成されており、リテーナ４０の前面板４２の裏面には、上記の溝３４内に嵌入可能なリブ４４が立てられている。
【００１７】
また、上記したランス２９及びその撓み空間３０，３１Ａ，３１Ｂの前方には、成形金型における型抜き空間が存在しているが、同じくリテーナ４０の前面板４２の裏面には、それらの型抜き空間に嵌入される嵌入部４５が形成されている。
そして、この嵌入部４５には、ランス２９の撓み空間３０，３１Ｂへ進入可能な撓み規制部４６が突設されている。各撓み規制部４６は、図６の鎖線に示すように、ランス２９の両薄肉部２９Ｂと対応するように、各ランス２９に対して夫々左右一対ずつ設けられている。また、各撓み規制部４６は、外壁４１の内面若しくはリブ４４の板面から一体的に形成されており、これにより各撓み規制部４６の補強が図られている。
【００１８】
コネクタは、以下のように組み付けられる。まず、図７及び図８に示すように、ハウジング２０に対してリテーナ４０が仮係止位置に装着される。この仮係止位置では、撓み規制部４６はランス２９の撓み空間３０，３１Ｂの前方に退避しているため、ランス２９の撓み変形が許容された状態にある。この状態から各キャビティ２１（端子収容部２３）に雄側端子金具１０が後方から挿入される。雄側端子金具１０は、タブ１２を挿通口２５から前方に突出させ、またランス２９を撓み空間３０，３１Ａ，３１Ｂに向けて撓み変形させつつ押し込まれる。
【００１９】
本体部１１が前面壁２４に当たる正規位置まで挿入されると、図７の下段に示すように、被係止凹部１６がランス２９の先端の位置に達するため、ランス２９が弾性復帰して被係止凹部１６に落ち込み、図９にも示すように、その前端の係止部２９Ｃが被係止凹部１６の前縁に係止し、すなわち雄側端子金具１０が一次係止される。
すべての雄側端子金具１０の挿入が完了したら、図１０に示すように、リテーナ４０を本係止位置に押し込む。これに伴い、撓み規制部４６が対応する撓み空間３０，３１Ｂ内に進入してランス２９の薄肉部２９Ｂと対応し、ランス２９が撓み空間３０，３１Ａ，３１Ｂ側へ不用意に撓み変形することが規制され、雄側端子金具１０が抜け方向に間接的に二重係止された状態となる。
【００２０】
さて、メンテナンス等においては、雄側端子金具１０を端子収容部２３から抜き取ることが行われる。そのときは、リテーナ４０をハウジング２０から取り外して二重係止を解除したのち、ランス２９を強制的に撓み変形させて一次係止を解除しつつ雄側端子金具１０を引くことで行われる。
このように雄側端子金具１０の抜き取りを行うべくランス２９の係止を解除するために好適な治具５０が備えられており、以下これについて説明する。
【００２１】
治具５０は、図１１に示すように、柄５１の先に、縦長の角形断面をなす挿入棒５２が突設されている。挿入棒５２の先端面には、図１２及び図１３に示すように、正面から見たほぼ左半分の領域に、ガイド板５３が突出形成されている。このガイド板５３は、図１４に示すように、上記した端子収容部２３群の溝３４内にほぼ緊密に挿入される厚さを持っている。
このガイド板５３の正面から見た右側面には、所定の高さ寸法を持った解除部５４がガイド板５３の全長に亘って形成されている。この解除部５４は、端子収容部２３の前面壁２４の肩の部分から側壁にわたって形成された挿入空間２７の底面に載りつつ、ランス２９の薄肉部２９Ｂの下面側に潜り込み可能となっており、先端側の上面には、先下がりのテーパ面５５が形成されている。
【００２２】
より詳細には、解除部５４の下面が挿入空間２７の底面に載った場合に、テーパ面５５の先端が、自然状態にあるランス２９の前端の下縁よりも少し下方に位置し、また、テーパ面５５の奥の水平面５６は、図１５に参照して示すように、挿入されている雄側端子金具１０の本体部１１の上面より少し上方に位置するようになっている。
また、挿入棒５２の先端面における解除部５４の基端の上下両側の面によって、端子収容部２３の前面壁２４に当接可能な垂直なストッパ面５７が形成されている。
【００２３】
続いて、本実施形態の作用を説明する。雄側端子金具１０を端子収容部２３から抜き取る場合は、以下のような手順で行う。まず、本係止位置に装着されていたリテーナ４０を、一旦外部に取り外し、端子収容部２３群を前方に開放した状態とする。この状態で治具５０を前方から挿入し、図１４の右下に鎖線に示すように、ランス２９の係止を解除すべき端子収容部２３の正面から見た右側の溝３４にガイド板５３を入れ、また解除部５４を挿入空間２７の底面に載せて押し込む。
【００２４】
治具５０が押し込まれると、解除部５４のテーパ面５５がランス２９の薄肉部２９Ｂの下面に潜り込み、その後押し込みが進むのに伴い、ランス２９は、テーパ面５５で案内されつつ撓み空間３０，３１Ａ，３１Ｂに向けて撓み変形させられ、テーパ面５５の奥の水平面５６に乗り上げると、図１４の左上及び図１５に示すように、その前端の係止部２９Ｃが雄側端子金具１０の被係止凹部１６の上方に抜ける。それとともに、ストッパ面５７が端子収容部２３の前面壁２４に当たって、治具５０のそれ以上の押し込みが停止される。以上により、ランス２９による雄側端子金具１０への係止状態が解除されるから、続いて電線１５を摘んで後方に引っ張ることで、雄側端子金具１０を端子収容部２３（キャビティ２１）から後方に抜き出すことができる。
【００２５】
以上説明したように本実施形態の治具５０を使用すると、ガイド板５３を溝３４に入れることで左右方向の位置が決められ、あとは解除部５４を挿入空間２７の底面に載せることで、治具５０の位置決めが正確になされるから、ランス２９の係止解除作業、ひいては雄側端子金具１０の抜き取り作業を能率良く行うことができる。また、ガイド板５３は、解除部５４を補強する機能も果たすことができる。
なお、正面から見た最右列の端子収容部２３については、右側にいわゆる溝３４が存在しないが、治具５０のガイド板５３を端子収容部２３並びにランス２９の右側面に当て、また解除部５４を挿入空間２７の底面に載せて押し込むことで、同様にランス２９の係止解除作業を円滑に行うことができる。
さらに治具５０には、不必要な押し込みを規制するストッパ面５７が設けられているから、ハウジング２０をいたずらに傷付けるおそれがなく、治具５０の押し込み量に気を配る必要もない。
【００２６】
図１６は、第１実施形態の変形例に係る治具５０Ａを示す。この治具５０Ａでは、テーパ面５５が、解除部５４の先端部の上下両面に形成されている。使い方としては、治具５０Ａの先端側を左右反転させつつ、ガイド板５３を端子収容部２３の右側または左側の溝３４に入れて、ランス２９の係止解除作業を行うことができる。
例えば、上記のテーパ面５５が上面だけに形成されていたものでは、正面から見た最右列の端子収容部２３については、ガイド板５３をいわゆる溝３４に入れることができないが、この治具５０Ａでは、最右列の端子収容部２３についても、左側の溝３４にガイド板５３を入れつつ、ランス２９の係止解除作業を行うことができる。
【００２７】
＜第２実施形態＞
次に、本発明の第２実施形態を図１７ないし図２１によって説明する。
第２実施形態に係る治具６０は、図１７ないし図１９に示すように、柄６１の先に設けられた挿入棒６２が横長の角形断面に形成され、その先端に左右一対のガイド板６３が二股状に形成されている。ガイド板６３は、端子収容部２３群の溝３４内にほぼ緊密に挿入される厚さを持っているとともに、溝３４同士の間隔と同じ間隔を開けて形成されている。両ガイド板６３の対向した面には、上記第１実施形態と同様の解除部６４が形成されている。
両解除部６４の基端の間にわたるようにして、端子収容部２３の前面壁２４に当接可能なストッパ面６７が形成されている。また、両解除部６４の下面から挿入棒６２の下面にわたっては、雄側端子金具１０のタブ１２の進入を許容する逃がし溝６８が形成されている。
【００２８】
第２実施形態の治具６０は、図２０の右下の鎖線に示すように、ランス２９の係止を解除すべき端子収容部２３の左右両側の溝３４にガイド板６３を入れ、また両解除部６４を左右の挿入空間２７の底面に載せて押し込まれる。押し込みが進むと、ランス２９の両側の薄肉部２９Ｂが左右のテーパ面６５に乗り上げることで上方に撓み変形させられ、図２１に示すように、同様に奥の水平面６６に乗り上げることで、ランス２９が被係止凹部１６の上方に抜け、係止が解除される。ストッパ面６７が端子収容部２３の前面壁２４に当たることで、治具６０のそれ以上の押し込みが停止され、またこの間、端子収容部２３の前面から突出したタブ１２は、治具６０の逃がし溝６８に相対的に進入して逃がされる。
【００２９】
第２実施形態の治具６０によれば、ガイド板６３が二股状になっていて、端子収容部２３を左右両側から挟みつつ押し込まれるようになっているから、治具６０はこじることなくより確実に真直に押し込まれる。またランス２９に対しては、両解除部６４のテーパ面６５がランス２９の幅方向の両端を押し上げることになるから、ランス２９をバランス良く安定して撓み変形させることができる。もって、ランス２９の係止解除作業を迅速に行うことができる。
【００３０】
図２２は、第２実施形態の変形例に係る治具６０Ａを示す。この治具６０Ａでは、左右の解除部６４の先端側に設けられるテーパ面６５が上下対称に形成されているとともに、雄側端子金具１０のタブ１２を逃がす逃がし溝６８も上下対称に２本形成されている。
この治具６０Ａによれば、上下反転させた姿勢でも、両ガイド板６３で端子収容部２３を挟みつつ両解除部６４によりランス２９の係止解除作業を行うことができる。言い換えると、治具６０Ａを挿入する場合に上下の向きに気を使う必要が無い。
【００３１】
＜第３実施形態＞
図２３ないし図２６は、本発明の第３実施形態を示す。この第３実施形態の治具７０では、端子収容部２３の前面から突出した雄側端子金具１０のタブ１２を、治具７０の挿入時の位置決めとして利用できるようにしている。
そのため、挿入棒７１の前面から奥方に向けて、タブ１２がほぼ緊密に挿入可能なガイド通路７２が形成されている。ガイド通路７２の入口７３は、テーパ状に広げられている。
その他の構造については、第２実施形態とほぼ同様であって、同一機能を有する部位については同一符号を付すことで重複した説明は省略する。
【００３２】
この第３実施形態の作用は、以下のようである。治具７０は、図２４に示すように、ランス２９の係止を解除すべき端子収容部２３の左右両側の溝３４にガイド板６３を合わせた姿勢にして挿入され、図２５に示すように、ガイド通路７２の入口７３が端子収容部２３の前面から突出したタブ１２に挿入される。
治具７０はタブ１２で案内されることによって真直に押し込まれ、続いて左右のガイド板６３が左右の溝３４に進入し、また両解除部６４が左右の挿入空間２７の底面に載って押し込まれ、同様に、ランス２９の両側の薄肉部２９Ｂが左右のテーパ面６５に乗り上げることで上方に撓み変形させられ、図２６に示すように、同様に奥の水平面６６に乗り上げることで、ランス２９が被係止凹部１６の上方に抜け、係止が解除される。
【００３３】
この第３実施形態の治具７０によれば、端子収容部２３の前面に突出した雄側端子金具１０のタブ１２と、ガイド通路７２とを利用することで、特に治具７０の初めの位置決めがよりしやすくなる。
一方、治具７０の挿入動作中には、タブ１２がガイド通路７２内に納められるのであるから、治具７０自体が、タブ１２が突かれること等から保護する機能を果たすことができる。
【００３４】
＜他の実施形態＞
本発明は上記記述及び図面によって説明した実施形態に限定されるものではなく、例えば次のような実施態様も本発明の技術的範囲に含まれ、さらに、下記以外にも要旨を逸脱しない範囲内で種々変更して実施することができる。
（１）第３実施形態に例示したタイプの治具においても、上下反転して使用できる形状に形成することが可能である。
（２）上記各実施形態ではタブを有する雄側端子金具を収容する雄側のコネクタを例示したが、タブを有しない雌側端子金具を収容する雌側のコネクタに備えられる治具にも、本発明は同様に適用できる。
【図面の簡単な説明】
【図１】第１実施形態に係るコネクタの組み付け前の縦断面図
【図２】雄側端子金具の斜視図
【図３】ハウジングの正面図
【図４】リテーナの正面図
【図５】その背面図
【図６】ハウジングの部分拡大正面図
【図７】コネクタの組み付け途中の状態を示す縦断面図
【図８】ハウジングにリテーナを組み付けた状態の正面図
【図９】雄側端子金具を係止した状態におけるハウジングの部分拡大正面図
【図１０】コネクタの組み付け完了時の縦断面図
【図１１】治具の側面図
【図１２】その先端部分の拡大斜視図
【図１３】同拡大側面図
【図１４】治具によるランスの係止解除動作を示す正面図
【図１５】その部分縦断面図
【図１６】変形例に係る治具の先端部分の拡大側面図
【図１７】第２実施形態に係る治具の平面図
【図１８】その先端部分の一部切欠拡大斜視図
【図１９】同拡大縦断面図
【図２０】治具によるランスの係止解除動作を示す正面図
【図２１】その部分縦断面図
【図２２】変形例に係る治具の先端部分の拡大縦断面図
【図２３】第３実施形態に係る治具の先端部分の拡大斜視図
【図２４】治具によるランスの係止解除動作を示す正面図
【図２５】治具の挿入の初期状態を示す部分縦断面図
【図２６】ランスの係止解除時の部分縦断面図
【符号の説明】
１０…雄側端子金具
１２…タブ
１６…被係止凹部
２０…ハウジング
２３…端子収容部
２７…挿入空間
２９…ランス
２９Ｂ…薄肉部
２９Ｃ…係止部
３４…溝
４０…リテーナ
５０，５０Ａ…治具
５３…ガイド板
５４…解除部
５５…テーパ面
５７…ストッパ面
６０，６０Ａ…治具
６３…ガイド板
６４…解除部
６５…テーパ面
６７…ストッパ面
６８…逃がし溝（逃がし凹部）
７０…治具
７２…ガイド通路
【図１】
0003941564.tif 000002
【図２】
0003941564.tif 000003
【図３】
0003941564.tif 000004
【図４】
0003941564.tif 000005
【図５】
0003941564.tif 000006
【図６】
0003941564.tif 000007
【図７】
0003941564.tif 000008
【図８】
0003941564.tif 000009
【図９】
0003941564.tif 000010
【図１０】
0003941564.tif 000011
【図１１】
0003941564.tif 000012
【図１２】
0003941564.tif 000013
【図１３】
0003941564.tif 000014
【図１４】
0003941564.tif 000015
【図１５】
0003941564.tif 000016
【図１６】
0003941564.tif 000017
【図１７】
0003941564.tif 000018
【図１８】
0003941564.tif 000019
【図１９】
0003941564.tif 000020
【図２０】
0003941564.tif 000021
【図２１】
0003941564.tif 000022
【図２２】
0003941564.tif 000023
【図２３】
0003941564.tif 000024
【図２４】
0003941564.tif 000025
【図２５】
0003941564.tif 000026
【図２６】
0003941564.tif 000027